(57)【要約】【課題】品質が高い動画像が得られる技術を提供することである。【解決手段】複数チャンネルの無線ＬＡＮ通信が可能な無線ＬＡＮ手段を有する情報配信装置と、前記情報配信装置から無線ＬＡＮ通信で配信された動画像を含む情報を表示する動画像情報処理装置と、前記情報配信装置から無線ＬＡＮ通信で配信された動画像を含まない情報を処理する情報処理装置とを有する配信システムであって、前記動画像情報処理装置は、無線ＬＡＮ手段と、無線ＬＡＮ通信のスループットを監視する無線ＬＡＮ監視手段とを有し、前記情報配信装置は、該情報配信装置とデータ通信する前記情報処理装置の無線ＬＡＮ通信の帯域幅の合計が、前記動画像情報処理装置より受信した前記無線ＬＡＮ通信のスループットから得た動画像を表示するに必要な帯域幅を除いた帯域幅以下になるように制御する無線ＬＡＮアクセスポイント制御手段を有する。【選択図】図１
2011082808.tif 000002
【特許請求の範囲】
【請求項１】
複数チャンネルの無線ＬＡＮ通信が可能な無線ＬＡＮ手段を有する情報配信装置と、前記情報配信装置から無線ＬＡＮ通信で配信された動画像を含む情報を表示する動画像情報処理装置と、前記情報配信装置から無線ＬＡＮ通信で配信された動画像を含まない情報を処理する情報処理装置とを有する配信システムであって、
前記動画像情報処理装置は、
無線ＬＡＮ手段と、無線ＬＡＮ通信のスループットを監視する無線ＬＡＮ監視手段とを有し、
前記情報配信装置は、
該情報配信装置とデータ通信する前記情報処理装置の無線ＬＡＮ通信の帯域幅の合計が、前記動画像情報処理装置より受信した前記無線ＬＡＮ通信のスループットから得た動画像を表示するに必要な帯域幅を除いた帯域幅以下になるように制御する無線ＬＡＮアクセスポイント制御手段を有する
ことを特徴とする配信システム。
【請求項２】
動画像を含まない情報を処理する情報処理装置が複数ある
ことを特徴とする請求項１の配信システム。
【請求項３】
複数チャンネルの無線ＬＡＮ通信が可能な無線ＬＡＮ手段を有する情報配信装置と、前記情報配信装置から無線ＬＡＮ通信で配信された動画像を含む情報を表示する動画像情報処理装置とを有する配信システムであって、
前記動画像情報処理装置は、
無線ＬＡＮ手段と、無線ＬＡＮ通信のスループットを監視する無線ＬＡＮ監視手段とを有し、
前記情報配信装置は、
該情報配信装置とデータ通信する情報処理装置の無線ＬＡＮ通信の帯域幅の合計が、前記動画像情報処理装置より受信した前記無線ＬＡＮ通信のスループットから得た動画像を表示するに必要な帯域幅を除いた帯域幅以下になるように制御する無線ＬＡＮアクセスポイント制御手段を有する
ことを特徴とする配信システム。
【請求項４】
動画像情報処理装置に無線ＬＡＮ通信で動画像を含む情報を配信すると共に、情報処理装置に無線ＬＡＮ通信で動画像を含まない情報を配信する情報配信装置であって、
前記情報配信装置は、
該情報配信装置とデータ通信する情報処理装置の無線ＬＡＮ通信の帯域幅の合計が、動画像情報処理装置より受信した無線ＬＡＮ通信のスループットから得た動画像を表示するに必要な帯域幅を除いた帯域幅以下になるように制御する無線ＬＡＮアクセスポイント制御手段を有する
ことを特徴とする情報配信装置。
【請求項５】
複数チャンネルの無線ＬＡＮ通信が可能な無線ＬＡＮ手段を有する情報配信装置と、前記情報配信装置から無線ＬＡＮ通信で配信された動画像を含む情報を表示する動画像情報処理装置と、前記情報配信装置から無線ＬＡＮ通信で配信された動画像を含まない情報を処理する情報処理装置とを有する配信システムにおける配信方法であって、
前記情報配信装置が前記動画像情報処理装置に動画像を含む情報を配信する配信ステップと、
前記動画像情報処理装置が前記配信ステップで配信された動画像を含む情報を受信して表示する表示ステップと、
前記動画像情報処理装置が前記配信ステップで配信された無線ＬＡＮのスループットを監視する監視ステップと、
前記動画像情報処理装置が前記監視ステップで得られたスループットを前記情報配信装置に送信する送信ステップと、
前記情報配信装置が該情報配信装置とデータ通信する前記情報処理装置の無線ＬＡＮ通信の帯域幅の合計が、前記送信ステップで送信されて来た前記スループットから得た動画像を表示するに必要な帯域幅を除いた帯域幅以下になるように制御する無線ＬＡＮアクセスポイント制御ステップ
とを有することを特徴とする情報配信方法。
【請求項６】
複数チャンネルの無線ＬＡＮ通信が可能な無線ＬＡＮ手段を有する情報配信装置と、前記情報配信装置から無線ＬＡＮ通信で配信された動画像を含む情報を表示する動画像情報処理装置とを有する配信システムにおける配信方法であって、
前記情報配信装置が前記動画像情報処理装置に動画像を含む情報を配信する配信ステップと、
前記動画像情報処理装置が前記配信ステップで配信された動画像を含む情報を受信して表示する表示ステップと、
前記動画像情報処理装置が前記配信ステップで配信された無線ＬＡＮのスループットを監視する監視ステップと、
前記動画像情報処理装置が前記監視ステップで得られたスループットを前記情報配信装置に送信する送信ステップと、
前記情報配信装置が該情報配信装置とデータ通信する情報処理装置の無線ＬＡＮ通信の帯域幅の合計が、前記送信ステップで送信されて来た前記スループットから得た動画像を表示するに必要な帯域幅を除いた帯域幅以下になるように制御する無線ＬＡＮアクセスポイント制御ステップ
とを有することを特徴とする情報配信方法。
【発明の詳細な説明】
【技術分野】
【０００１】
本発明は、特に、映像配信の技術に関する。
【背景技術】
【０００２】
例えば、符号化後の映像データの配信先と伝送路とが接続された時、この配信先との間の伝送路の物理層レベルでの伝送速度としての接続速度を予め定めた一定期間にわたって複数回サンプリングして得られた接続速度の平均値に対応する前記配信側の送信対象となっている前記映像データを構成する画像の解像度とその伝送時のビットレートの組み合わせを接続開始時送信側設定情報として受信する接続開始時送信側設定情報受信手段と、この接続時送信側設定情報受信手段の受信した接続時送信側設定情報に示される前記画像の解像度とその伝送時のビットレートに設定して前記符号化後の映像データの配信を開始させる配信開始手段と、この配信開始手段による前記映像データの配信開始後、配信先からこの配信先との間の前記伝送路の接続速度を予め定めた一定期間にわたって複数回サンプリングして得られたそれぞれの接続速度の平均値に対応する前記画像の解像度とその伝送時のビットレートを表わした送信側設定情報が到来するのを監視する送信側設定情報到来監視手段と、この送信側設定情報到来監視手段の監視により前記送信側設定情報が到来するたびにこれに示される前記画像の解像度とその伝送時のビットレートに再設定して前記符号化後の映像データの配信を行う配信継続手段とを具備する映像配信装置か提案（特開２００７−３２９８１４号公報）されている。
【０００３】
この提案の技術によれば、映像の配信を受けて再生を行う映像再生端末側が配信側に映像の配信の際の設定条件を通知するので、映像再生端末側の負荷の状況等の各種状況を加味して配信を行わせることが可能になる。そして、通信環境が不安定な状況下でも、安定して画像の再生が行われると謳われている。
【先行技術文献】
【特許文献】
【０００４】
【特許文献１】特開２００７−３２９８１４号公報
【発明の概要】
【発明が解決しようとする課題】
【０００５】
ところで、複数チャンネルの無線ＬＡＮ通信が可能な無線ＬＡＮのアクセスポイントとしての機能を有し、その複数チャンネルの無線ＬＡＮ通信の中の或るチャンネル（例えば、一つのチャネル）を使用してテレビ放送などの映像をデジタルデータにして無線ＬＡＮで配信する機能を有する映像配信装置１００と、この映像配信装置１００から無線ＬＡＮで配信された映像を表示する映像処理装置（例えば、前記一つのチャネルに対応して一台の映像処理装置；映像表示装置）２００と、映像配信装置１００を無線ＬＡＮのアクセスポイントとして無線ＬＡＮ接続してデータ通信（例えば、インターネット通信）する複数台（例えば、１０台）の情報処理装置３００とを有する映像配信システムが知られている（図６参照）。
【０００６】
尚、図６中、１０１は映像配信側主制御部である。映像配信側主制御部１０１は、ＣＰＵ（中央処理装置）１０２、及びＣＰＵ１０２が実行する制御プログラムが格納された記憶媒体１０３を備えている。１０４は、テレビ放送などの映像をＭＰＥＧ２やＭＰＥＧ４等のデジタルデータにする映像デジタルデータ生成部である。１０５は、無線ＬＡＮのアクセスポイントの機能を制御する無線ＬＡＮアクセスポイント制御部である。１０６は、映像表示装置２００や複数の情報処理装置３００と無線ＬＡＮ接続する配信側無線ＬＡＮ部である。１０７は、ＷＡＮ（広域通信網）等に接続してデータ通信する為の有線ＬＡＮを制御する有線ＬＡＮ部である。２０１は映像表示側主制御部である。この映像表示側主制御部２０１は、ＣＰＵ（中央処理装置）２０２、及びＣＰＵ２０２が実行する制御プログラムが格納された記憶媒体２０３を備えている。２０４は、映像配信装置１００から配信されたＭＰＥＧ２やＭＰＥＧ４などの映像デジタルデータを表示する映像表示部である。２０５は、映像配信装置１００と無線ＬＡＮ接続する表示側無線ＬＡＮ部である。３０１は主制御部である。この主制御部３０１は、ＣＰＵ（中央処理装置）３０２、及びＣＰＵ３０２が実行する制御プログラムが格納された記憶媒体３０３を備えている。３０４は、映像配信装置１００と無線ＬＡＮ接続する無線ＬＡＮ部である。
【０００７】
上記映像配信システムにおいて、映像配信装置１００がテレビ放送などの映像をデジタルデータにして無線ＬＡＮで配信している時に、無線ＬＡＮのアクセスポイントとして映像配信装置１００に無線ＬＡＮ接続してデータ通信（例えば、インターネット通信）している情報処理装置３００の台数が少ない場合には、テレビ放送などの映像を配信する為の帯域幅は確保され易いから、映像配信装置１００から無線ＬＡＮを介して配信されて来た映像表示装置２００が表示する動画像にはカクつきが起き難い。
【０００８】
しかしながら、無線ＬＡＮのアクセスポイントとして映像配信装置１００に無線ＬＡＮ接続してデータ通信する情報処理装置３００の台数が多い場合には、テレビ放送などの映像を配信する為の帯域幅はそれだけ確保され難く、映像配信装置１００から無線ＬＡＮを介して配信されて来た映像表示装置２００が表示する動画像にはカクつきが起き易い。
【０００９】
すなわち、映像表示装置２００には無線ＬＡＮ監視機能が無い為、映像配信装置１００に無線ＬＡＮのスループット値を通知でき無い。従って、映像配信装置１００から無線ＬＡＮで配信された映像を表示する映像表示装置２００の無線ＬＡＮのスループットに合わせて、データ通信をする情報処理装置３００が使用できる無線ＬＡＮ通信の帯域幅を制限できない。この為、映像配信装置１００に無線ＬＡＮ接続してデータ通信する情報処理装置３００の台数が多い場合には、テレビ放送などの映像を配信する為の帯域幅はそれだけ確保され難く、映像配信装置１００から無線ＬＡＮを介して配信されて来た映像表示装置２００が表示する動画像にはカクつきが起き易い。
【００１０】
そこで、このような動画像の品質低下を防止する為に上記特許文献の技術の応用を図っても、この場合、上記特許文献の技術は映像表示に必要な帯域幅を確保する為に映像の解像度やデータ伝送のビットレートを変化させていることから、映像表示装置で表示される動画像の解像度は低く、又、ビットレートが低いことから画像の品質そのものが低い。
【００１１】
従って、本発明が解決しようとする課題は、上記問題点を解決し、品質が高い動画像が得られる技術を提供することである。
【課題を解決するための手段】
【００１２】
前記の課題は、
複数チャンネルの無線ＬＡＮ通信が可能な無線ＬＡＮ手段を有する情報配信装置と、前記情報配信装置から無線ＬＡＮ通信で配信された動画像を含む情報を表示する動画像情報処理装置と、前記情報配信装置から無線ＬＡＮ通信で配信された動画像を含まない情報を処理する情報処理装置とを有する配信システムであって、
前記動画像情報処理装置は、
無線ＬＡＮ手段と、無線ＬＡＮ通信のスループットを監視する無線ＬＡＮ監視手段とを有し、
前記情報配信装置は、
該情報配信装置とデータ通信する前記情報処理装置の無線ＬＡＮ通信の帯域幅の合計が、前記動画像情報処理装置より受信した前記無線ＬＡＮ通信のスループットから得た動画像を表示するに必要な帯域幅を除いた帯域幅以下になるように制御する無線ＬＡＮアクセスポイント制御手段を有する
ことを特徴とする配信システムによって解決される。
【００１３】
又、複数チャンネルの無線ＬＡＮ通信が可能な無線ＬＡＮ手段を有する情報配信装置と、前記情報配信装置から無線ＬＡＮ通信で配信された動画像を含む情報を表示する動画像情報処理装置とを有する配信システムであって、
前記動画像情報処理装置は、
無線ＬＡＮ手段と、無線ＬＡＮ通信のスループットを監視する無線ＬＡＮ監視手段とを有し、
前記情報配信装置は、
該情報配信装置とデータ通信する情報処理装置の無線ＬＡＮ通信の帯域幅の合計が、前記動画像情報処理装置より受信した前記無線ＬＡＮ通信のスループットから得た動画像を表示するに必要な帯域幅を除いた帯域幅以下になるように制御する無線ＬＡＮアクセスポイント制御手段を有する
ことを特徴とする配信システムによって解決される。
【００１４】
又、動画像情報処理装置に無線ＬＡＮ通信で動画像を含む情報を配信すると共に、情報処理装置に無線ＬＡＮ通信で動画像を含まない情報を配信する情報配信装置であって、
前記情報配信装置は、
該情報配信装置とデータ通信する情報処理装置の無線ＬＡＮ通信の帯域幅の合計が、動画像情報処理装置より受信した無線ＬＡＮ通信のスループットから得た動画像を表示するに必要な帯域幅を除いた帯域幅以下になるように制御する無線ＬＡＮアクセスポイント制御手段を有する
ことを特徴とする情報配信装置によって解決される。
【００１５】
又、複数チャンネルの無線ＬＡＮ通信が可能な無線ＬＡＮ手段を有する情報配信装置と、前記情報配信装置から無線ＬＡＮ通信で配信された動画像を含む情報を表示する動画像情報処理装置と、前記情報配信装置から無線ＬＡＮ通信で配信された動画像を含まない情報を処理する情報処理装置とを有する配信システムにおける配信方法であって、
前記情報配信装置が前記動画像情報処理装置に動画像を含む情報を配信する配信ステップと、
前記動画像情報処理装置が前記配信ステップで配信された動画像を含む情報を受信して表示する表示ステップと、
前記動画像情報処理装置が前記配信ステップで配信された無線ＬＡＮのスループットを監視する監視ステップと、
前記動画像情報処理装置が前記監視ステップで得られたスループットを前記情報配信装置に送信する送信ステップと、
前記情報配信装置が該情報配信装置とデータ通信する前記情報処理装置の無線ＬＡＮ通信の帯域幅の合計が、前記送信ステップで送信されて来た前記スループットから得た動画像を表示するに必要な帯域幅を除いた帯域幅以下になるように制御する無線ＬＡＮアクセスポイント制御ステップ
とを有することを特徴とする情報配信方法によって解決される。
【００１６】
又、複数チャンネルの無線ＬＡＮ通信が可能な無線ＬＡＮ手段を有する情報配信装置と、前記情報配信装置から無線ＬＡＮ通信で配信された動画像を含む情報を表示する動画像情報処理装置とを有する配信システムにおける配信方法であって、
前記情報配信装置が前記動画像情報処理装置に動画像を含む情報を配信する配信ステップと、
前記動画像情報処理装置が前記配信ステップで配信された動画像を含む情報を受信して表示する表示ステップと、
前記動画像情報処理装置が前記配信ステップで配信された無線ＬＡＮのスループットを監視する監視ステップと、
前記動画像情報処理装置が前記監視ステップで得られたスループットを前記情報配信装置に送信する送信ステップと、
前記情報配信装置が該情報配信装置とデータ通信する情報処理装置の無線ＬＡＮ通信の帯域幅の合計が、前記送信ステップで送信されて来た前記スループットから得た動画像を表示するに必要な帯域幅を除いた帯域幅以下になるように制御する無線ＬＡＮアクセスポイント制御ステップ
とを有することを特徴とする情報配信方法によって解決される。
【発明の効果】
【００１７】
本発明では、情報配信装置とデータ通信する情報処理装置の無線ＬＡＮ通信の帯域幅の合計が動画像情報処理装置から受信した無線ＬＡＮ通信のスループットから得た動画像を表示するに必要な帯域幅を除いた帯域幅以下になるように制御（制限）することから、例えばテレビ放送などの映像をデジタルデータにして無線ＬＡＮで配信する帯域幅が確保され、従って情報配信装置から無線ＬＡＮで配信された映像を表示する動画像情報処理装置による表示映像にカクつきが起き難い。
【図面の簡単な説明】
【００１８】
【図１】本発明の実施形態の情報配信装置を含む配信システムのブロック図
【図２】本発明の実施形態の配信システムのフローチャート
【図３】本発明の特徴を示す説明図
【図４】本発明の実施形態の配信システムのフローチャート
【図５】本発明の特徴を示す説明図
【図６】従来の配信システムのブロック図
【発明を実施するための形態】
【００１９】
本発明は配信システムである。この配信システムは、複数チャンネルの無線ＬＡＮ通信が可能な無線ＬＡＮ手段を有する情報配信装置を有する。又、前記情報配信装置から無線ＬＡＮ通信で配信された動画像を含む情報を表示する動画像情報処理装置を、一つ又は複数、有する。又、好ましくは、前記情報配信装置から無線ＬＡＮ通信で配信された動画像を含まない情報を処理する情報処理装置を、複数、有する。そして、前記動画像情報処理装置は、無線ＬＡＮ手段と、無線ＬＡＮ通信のスループットを監視する無線ＬＡＮ監視手段とを有する。前記情報配信装置は、該情報配信装置とデータ通信する前記情報処理装置の無線ＬＡＮ通信の帯域幅の合計が、前記動画像情報処理装置より受信した前記無線ＬＡＮ通信のスループットから得た動画像を表示するに必要な帯域幅を除いた帯域幅になるように制御する無線ＬＡＮアクセスポイント制御手段を有する。
【００２０】
本発明は情報配信装置である。この情報配信装置は、動画像情報処理装置に無線ＬＡＮ通信で動画像を含む情報を配信すると共に、情報処理装置に無線ＬＡＮ通信で動画像を含まない情報を配信する情報配信装置である。そして、該情報配信装置とデータ通信する情報処理装置の無線ＬＡＮ通信の帯域幅の合計が、動画像情報処理装置より受信した無線ＬＡＮ通信のスループットから得た動画像を表示するに必要な帯域幅を除いた帯域幅になるように制御する無線ＬＡＮアクセスポイント制御手段を有する。
【００２１】
本発明は配信方法である。この配信方法は上記配信システムにおける配信方法である。そして、前記情報配信装置が前記動画像情報処理装置に動画像を含む情報を配信する配信ステップを有する。又、前記動画像情報処理装置が前記配信ステップで配信された動画像を含む情報を受信して表示する表示ステップを有する。又、前記動画像情報処理装置が前記配信ステップで配信された無線ＬＡＮのスループットを監視する監視ステップを有する。又、前記動画像情報処理装置が前記監視ステップで得られたスループットを前記情報配信装置に送信する送信ステップを有する。又、前記情報配信装置が該情報配信装置とデータ通信する前記情報処理装置の無線ＬＡＮ通信の帯域幅の合計が、前記送信ステップで送信されて来た前記スループットから得た動画像を表示するに必要な帯域幅を除いた帯域幅になるように制御する無線ＬＡＮアクセスポイント制御ステップを有する。
【００２２】
以下、本発明について更に詳しく説明する。
【００２３】
図１は、本発明の実施形態になる情報配信装置を含む配信システムのブロック図である。
【００２４】
図１中、１０は、映像を含む情報の情報配信装置（映像配信装置）である。この映像配信装置１０は、複数チャンネルの無線ＬＡＮ通信が可能な無線ＬＡＮのアクセスポイントとしての機能を有し、その複数チャンネルの無線ＬＡＮ通信の中の或るチャネルを使用してテレビ放送などの映像をデジタルデータにして無線ＬＡＮで配信する機能を有する。２０は、映像配信装置１０から無線ＬＡＮで配信された情報（映像、特に、動画像を含む情報）を受信して、画面に表示する動画像情報処理装置（情報処理装置（映像表示装置））である。３０は、映像配信装置１０とデータ通信（例えば、インターネット通信）する情報処理装置である。この情報処理装置３０は、複数台、有る。そして、映像配信装置１０と情報処理装置（映像表示装置）２０とは、無線ＬＡＮで、接続される。映像配信装置１０と複数の情報処理装置３０とは、無線ＬＡＮで、接続される。
【００２５】
映像配信装置１０は、テレビ放送などの映像をＭＰＥＧ２やＭＰＥＧ４等のデジタルデータにする映像デジタルデータ生成部１４を有する。又、映像配信装置１０と複数の情報処理装置３０との間の無線ＬＡＮの帯域幅の合計が、情報処理装置（映像表示装置）２０より通知されたスループットの値から得た映像デジタルデータの配信に必要な帯域幅を除いた帯域幅以下になるよう、映像配信装置１０と個々の情報処理装置（データ通信）３０との間の無線ＬＡＮの帯域幅を制限する機能を持ち、無線ＬＡＮのアクセスポイントの機能を制御する無線ＬＡＮアクセスポイント制御部１５を有する。尚、無線ＬＡＮアクセスポイント制御部１５が行う帯域幅の制限（制御）はソフトウェアによって実現できる。更に、情報処理装置（映像表示装置）２０や、複数の情報処理装置３０と無線ＬＡＮ接続する配信側無線ＬＡＮ部１６を有する。又、ＷＡＮ（広域通信網）等に接続してデータ通信する為の有線ＬＡＮを制御する有線ＬＡＮ部１７を有する。又、映像デジタルデータ生成装置１４で生成するデータのフォーマットの通知や、有線ＬＡＮ部１７と無線ＬＡＮアクセスポイント制御部１５との間のデータの送受信を行い、有線ＬＡＮと無線ＬＡＮとの間のデータ送受信を行う映像配信側主制御部１１を有する。尚、映像配信側主制御部１１は、ＣＰＵ（中央処理装置）１２、及びＣＰＵ１２が実行する制御プログラムが格納されたハードディスク、ＲＯＭ（リード・オンリー・メモリ）等の記憶媒体１３を備えている。
【００２６】
情報処理装置（映像表示装置）２０は、映像配信装置１０と無線ＬＡＮ接続する表示側無線ＬＡＮ部２５を有する。又、映像配信装置１０から配信されたＭＰＥＧ２やＭＰＥＧ４などの映像デジタルデータを表示する映像表示部（例えば、ＣＲＴなどの表示装置）２４を有する。又、表示側無線ＬＡＮ部２５のスループットを、常時、監視し、そのスループットの値を映像表示側主制御部２１に通知する無線ＬＡＮ監視部２６を有する。尚、スループットは無線ＬＡＮ関連のソフトウェアで認識でき、無線ＬＡＮ監視部２６はソフトウェアで実現できる。又、映像表示部２４の始動と停止の制御や、無線ＬＡＮ監視部２６から通知されたスループットの値を一定間隔で表示側無線ＬＡＮ部２５に通知し、情報処理装置（映像表示装置）２０から映像配信装置１０にスループットの値を一定間隔で無線ＬＡＮにより通知する制御を行う映像表示側主制御部２１を有する。尚、映像表示側主制御部２１は、ＣＰＵ（中央処理装置）２２、及びＣＰＵ２２が実行する制御プログラムが格納されたハードディスク、ＲＯＭ（リード・オンリー・メモリ）等の記憶媒体２３を備えている。
【００２７】
映像配信装置１０との間でデータ通信する各々の情報処理装置３０は、映像配信装置１０と無線ＬＡＮ接続する無線ＬＡＮ部３４を有する。又、無線ＬＡＮ部３４から受信したデータを加工する（例えば、ＣＲＴなどの表示装置の画面に表示する）主制御部３１を有する。尚、主制御部３１は、ＣＰＵ（中央処理装置）３２、及びＣＰＵ３２が実行する制御プログラムが格納されたハードディスク、ＲＯＭ（リード・オンリー・メモリ）等の記憶媒体３３を備えている。
【００２８】
次に、上記のように構成した本発明の実施形態の動作について説明をする。
【００２９】
配信側無線ＬＡＮ部１６と表示側無線ＬＡＮ部２５との接続により、映像配信装置１０と映像表示装置２０とは無線ＬＡＮ接続される（ステップＡ１）。
【００３０】
無線ＬＡＮ接続（ステップＡ１）後、映像配信側主制御部１１が、生成する映像デジタルデータのフォーマット（解像度、ビットレート）を映像デジタルデータ生成部１４に通知すると共に、無線ＬＡＮアクセスポイント制御部１５に通知する（ステップＡ２）。これにより、無線ＬＡＮアクセスポイント制御部１５が映像デジタルデータの帯域幅を認識する。
【００３１】
次に、無線ＬＡＮアクセスポイント制御部１５が、映像配信装置１０に無線ＬＡＮ接続している情報処理装置３０の台数を確認する（ステップＡ３）。
【００３２】
映像表示装置２０における無線ＬＡＮ監視部２６が無線ＬＡＮのスループットをサンプリングする。そして、そのスループットの値を映像表示側主制御部２１に通知を開始する（ステップＡ４）。
【００３３】
一定時間後、映像表示側主制御部２１は、上記スループット値を、表示側無線ＬＡＮ部２５経由で映像配信装置１０に通知する。そして、配信側無線ＬＡＮ部１６を介して、無線ＬＡＮアクセスポイント制御部１５は前記スループット値を受信する（ステップＡ５）。
【００３４】
次に、無線ＬＡＮアクセスポイント制御部１５は、映像配信側主制御部１１から通知された映像デジタルデータのフォーマット（解像度、ビットレート）から認識した映像デジタルデータの帯域幅と、映像表示装置２０から通知されたスループット値とから、映像配信装置１０に無線ＬＡＮ接続している複数台の情報処理装置（データ通信）３０が使用できる帯域幅を算出する（ステップＡ６）。例えば、図３で説明すると、”図３−Ａ”の映像配信装置１０に無線ＬＡＮ接続している複数台の情報処理装置３０が使用できる帯域幅Ｃを算出する。次に、無線ＬＡＮアクセスポイント制御部１５は、ステップＡ６で算出した映像配信装置１０に無線ＬＡＮ接続している複数台の情報処理装置３０が使用できる帯域幅以内で、かつ、ステップＡ３で確認した映像配信装置１０に無線ＬＡＮ接続している情報処理装置３０の台数分の無線ＬＡＮの使用帯域が均等になる帯域幅を算出する。そして、無線ＬＡＮ接続している情報処理装置３０の無線ＬＡＮの使用する帯域幅を、各々、制限する（ステップＡ７）。例えば、“図３−Ａ”の映像配信装置１０に無線ＬＡＮ接続している複数台（例えば、２台）の情報処理装置３０が使用できる帯域幅Ｃを、個々の情報処理装置３０に均等に制限された帯域幅Ｃ−１，Ｃ−２に分割する。
【００３５】
ステップＡ７が完了後、無線ＬＡＮアクセスポイント制御部１５は、映像デジタルデータ生成部１４で生成された映像デジタルデータを受信する。そして、複数チャンネルの無線ＬＡＮ通信の中の一つのチャネルを使用して、映像デジタルデータを、配線側無線ＬＡＮ部１６から映像表示装置２０に無線ＬＡＮで配信する。映像表示装置２０は、表示側無線ＬＡＮ部２５で映像デジタルデータを受信し、映像表示部２４に送信する（ステップＡ８）。
【００３６】
映像表示部２４は、映像デジタルデータをＣＲＴなどの表示装置の画面データに変換する。そして、映像表示が開始される（ステップＡ９）。
【００３７】
映像表示装置２０が映像表示開始後も、無線ＬＡＮ監視部２６はサンプリングしている。そして、映像表示側主制御部２１は、映像表示側主制御部２１に通知されている無線ＬＡＮのスループット値を、表示側無線ＬＡＮ部２５経由で、映像配信装置１０側に一定間隔で通知する（ステップＡ１０、ステップＡ１１、ステップＡ１２）。
【００３８】
映像配信装置１０の無線ＬＡＮアクセスポイント制御部１５が配信側無線ＬＡＮ部１６を経由してスループット値を受信（ステップＡ１０）すると、映像デジタルデータの無線ＬＡＮ配信が未終了（ステップＡ１１）ならば、前回のスループット値と比較を行う（ステップＡ１３）。
【００３９】
ステップＡ１３における比較で、図３における図３−Ａの帯域幅Ｂから、図３−Ｂの帯域幅Ｂ’に変化（スループット値の帯域幅が減少するなどの変化）したならば、ステップＡ６と同様に、無線ＬＡＮアクセスポイント制御部１５が、新たなスループット値で、映像配信装置１０に無線ＬＡＮ接続している複数台の情報処理装置３０が使用できる新たな帯域幅を再算出する（ステップＡ１４）。図３で説明すると、図３−Ｂにおける帯域幅が減少した無線ＬＡＮ接続している複数台の情報処理装置３０が使用できる帯域幅Ｃ’を算出する。
【００４０】
次に、無線ＬＡＮアクセスポイント制御部１５は、ステップＡ１４で算出した映像配信装置１０に無線ＬＡＮ接続している複数台の情報処理装置３０が使用できる新たな帯域幅以内で、ステップＡ３で確認した映像配信装置１０に無線ＬＡＮ接続している情報処理装置３０の台数分の無線ＬＡＮの使用帯域が均等になる新たな帯域幅を算出する。そして、無線ＬＡＮ接続している情報処理装置３０の無線ＬＡＮの使用する新たな帯域幅を個々に制限する（ステップＡ１５）。図３で説明すると、図３−Ｂの映像配信装置１０に無線ＬＡＮ接続している複数台の情報処理装置３０が使用できる帯域幅Ｃ’を、個々の情報処理装置３０に均等に制限された帯域幅Ｃ’−１，Ｃ’−２に分割する。
【００４１】
ステップＡ１５が完了すると、映像表示装置２０からのスループット値を受信する前の状態に戻る。又、ステップＡ１２における比較で、スループット値に変化がなければ、映像表示装置２０からのスループット値を受信する前の状態に戻る。
【００４２】
映像配信装置１０における映像デジタルデータの無線ＬＡＮ配信が終了、又、映像表示装置２０における映像デジタルデータの無線ＬＡＮ配信が終了すれば、本動作は終了する（ステップＡ１１）。
【００４３】
次に、本発明の他の実施形態を、図４，５を参照しながら説明する。
【００４４】
映像配信装置１０が映像デジタルデータを配信している最中に、映像配信装置１０に無線ＬＡＮ接続している情報処理装置（データ通信）３０の台数が増減した場合の動作である。図４において、ステップＡ１〜Ａ１２までは、上記説明の場合と同じである為、省略する。
【００４５】
映像表示装置２０からのスループット値に変化が無い状態で、映像配信装置１０が映像デジタルデータを配信している最中に、情報処理装置３０の台数が増減する（ステップＢ１３）。そうすると、無線ＬＡＮアクセスポイント制御部１５は、ステップＡ６で算出した帯域幅（映像配信装置１０に無線ＬＡＮ接続している複数台の情報処理装置３０が使用できる帯域幅以内で、映像配信装置１０に無線ＬＡＮ接続する情報処理装置３０の新たな台数分で、無線ＬＡＮの使用帯域が均等になる新たな帯域幅）を算出する。そして、無線ＬＡＮ接続している情報処理装置３０の無線ＬＡＮの使用する新たな帯域幅を個々に制限する（ステップＢ１４）。図５で説明すると、映像配信装置１０に無線ＬＡＮ接続している複数台の情報処理装置３０が使用できる帯域幅Ｃを、２台の情報処理装置３０で均等に帯域制限し、図５−Ａのように帯域幅Ｃ−１，Ｃ−２に分割していたものを、情報処理装置３０が３台に増えると、図５−Ｂのように帯域幅Ｃ’−１，Ｃ’−２，Ｃ’−３に分割する。
【００４６】
尚、特開２００７−２２８３１２号号公報には、上位装置とＬＡＮ接続する複数のエンドユーザである端末の帯域制御の方法として、上位装置とＬＡＮ接続する複数のエンドユーザである端末とのネゴシエーション手段により、上位装置とＬＡＮ接続する複数のエンドユーザである端末との間の最大回線速度を算出し、この最大回線速度と、予め保有している上位装置とＬＡＮ接続する複数のエンドユーザである端末の間の帯域保証値または帯域制限値とを比較し、最大回線速度か、帯域保証値または帯域制限値のどちらか小さいほうの速度で通信を行うも技術が提案されている。尚、ＬＡＮ接続でのネゴシエーションとは、１０Ｍｂｐｓや１００Ｍｂｐｓの通信速度や、全二重や半二重の通信モードを決定する機能と理解される。ところで、本願発明では、映像配信装置から無線ＬＡＮで配信された映像を表示する情報処理装置で表示される映像がカクつくことが無いように表示する為、無線ＬＡＮの受信側である映像を表示する情報処理装置でのスループット値で映像を表示するに必要なデータ量を確保する目的から、無線ＬＡＮ接続でのネゴシエーション後の受信端末側のスループット値を使用して帯域制限をする方法を提案したものであり、この点において本願発明とは異なる。
【００４７】
又、特開２００３−３３３０５０号公報では、上位装置に複数の情報処理装置を無線回線により接続したシステムおいて、転送データパケットのヘッダに、要求帯域情報を設定することにより、上位装置は、要求帯域情報を識別して、大きい帯域を必要とする転送データには大きな帯域を割り当て、大きい帯域を必要としない転送データには小さい帯域を割り当てるｊ帯域制限の技術が提案されている。更に、転送データの優先度を決め、優先度が高い転送データを優先的に転送する帯域制限の技術が提案されているが、上記の帯域制限は上位装置内の情報にて実施される方法となっており、本願発明の如く、接続された受信端末側のスループット値の情報を入手して帯域制限をするものでは無い。
【００４８】
又、特開２００２−１２４９８１号公報では、上位装置内で、制限された伝送帯域の範囲内にストリームデータの伝送帯域を調整して端末側に送信することで、ストリームデータが途切れ無いものにする帯域制限の技術が提案されているが、上位装置内の情報にて実施されるねのであり、本願発明の如く、接続された受信端末側のスループット値の情報を入手して帯域制限をするものでは無い。
【符号の説明】
【００４９】
１０        情報配信装置（映像配信装置）
１１        映像配信側主制御部
１４        映像デジタルデータ生成部
１５        無線ＬＡＮアクセスポイント制御部
１６        配信側無線ＬＡＮ部
１７        有線ＬＡＮ部
２０        動画像情報処理装置（情報処理装置（映像表示装置））
２１        映像表示側主制御部
２４        映像表示部
２５        表示側無線ＬＡＮ部
２６        無線ＬＡＮ監視部
３０        情報処理装置
３１        主制御部
３４        無線ＬＡＮ部
【図１】
2011082808.tif 000003
【図２】
2011082808.tif 000004
【図３】
2011082808.tif 000005
【図４】
2011082808.tif 000006
【図５】
2011082808.tif 000007
【図６】
2011082808.tif 000008